(57)【特許請求の範囲】
【請求項１】
床（７）から天井（６）までの高さよりも低い収納家具の、上部に突っ張り機構（１２）を有し、下部に移動輪（２２）を突出・収納可能に備えた収納家具であって、前記上部の突っ張り機構（１２）は、収納部（１０）の上部の幕板（１１）で囲まれた内部に、昇降板（１３）を昇降可能に配置し、該昇降板（１３）の上面に軟質材または弾性部材よりなる緩衝部材（１４）を貼設し、ネジにて構成したアジャスタ（１６）を回動させて昇降板（１３）を昇降させる構成とし、前記下部の移動輪（２２）の突出・収納機構は、収納部（１０）の下部に、外枠（２０ａ）と内枠（２０ｂ）より構成する台枠（２０）を設け、該外枠（２０ａ）上に収納部（１０）の底板（２４）が載置固定され、該外枠（２０ａ）と内枠（２０ｂ）は前後の位置に平行に配置し、該内枠（２０ｂ）の両側は側板（２３・２３）を固設し、該前後の外枠（２０ａ・２０ａ）は連結プレート（２５・２５）により連結され、内枠（２０ｂ・２０ｂ）は連結プレート（２６・２６）で連結し、左右両側の連結プレート（２５・２５）の下面にそれぞれ移動輪（２２・２２）を配置し、該連結プレート（２５）と連結プレート（２６）の間に、昇降機構（２１）を介装配置し、該台枠（２０）内に昇降機構（２１）と移動輪（２２）を収納し、該昇降機構（２１）にて内枠（２０ｂ）を下降・上昇させ、該内枠（２０ｂ）の上昇により、該移動輪（２２）の下端が床（７）に接地すべく構成し、前記収納家具を上下に分割可能に構成し、上下で家具の種類を変更可能とし、かつ、前後向きを入れ換え可能としたことを特徴とする間仕切り用収納家具。
【発明の詳細な説明】
【０００１】
【発明の属する技術分野】
本発明は、収納家具に移動手段と固定手段を設けて、部屋内を収納家具により仕切り、容易に配置替えもできるようにする技術に関する。
【０００２】
【従来の技術】
一つの家屋内において、夫婦別々の部屋を持ちたいとか、広いリビングの一部を部屋としたい場合や、子供の部屋を二つに分割したい、また、将来、子供が大きくなって別の所帯を持った時に、部屋の配置を変更したい場合などの希望が出てくるが、今日までの住宅では、大きい一つの部屋を複数の部屋に仕切るためには、間仕切り壁を作る方法と、ベッドや棚や衝立やカーテン等を利用して仕切る方法がある。
【０００３】
【発明が解決しようとする課題】
間仕切り壁を作る場合、素人では作ることが難しく、専門の職人や大工さんに頼むことになるが、時間と費用がかかり、仕切り壁だけが新しくなるので、周囲と違和感ができてしまう。また、ベッドでは完全に仕切ることは難しく開放部分ができてしまい、ベッドは幅や奥行きが大きいので、部屋自体が小さくなってしまう。棚は天井部分が空いてしまい、奥行きが小さいと倒れ易くなる。衝立の場合は高さが低いのでお互いに見えてしまうのである。カーテンの場合は容易に行き来できてしまうのである。また、複数の部屋を一つの部屋とするには、壁の途中に柱があったり、壁内に斜めにブレースが走っていたり、壁自体が構造部材となっていて容易に取り外せないのが現状である。また、本棚や家具で間仕切りする場合、奥行きが統一されたものはなく、背面が凸凹となり、きれいな直線で仕切れる家具はなかったのである。そこで、本発明は収納家具に移動手段と固定手段を設けて、部屋内を収納家具により容易に仕切り、容易に配置替えもできるようにするものである。
【０００４】
【課題を解決するための手段】
本発明の解決しようとする課題は以上の如くであり、次にこの課題を解決するための手段を説明する。
【０００５】
床（７）から天井（６）までの高さよりも低い収納家具の、上部に突っ張り機構（１２）を有し、下部に移動輪（２２）を突出・収納可能に備えた収納家具であって、前記上部の突っ張り機構（１２）は、収納部（１０）の上部の幕板（１１）で囲まれた内部に、昇降板（１３）を昇降可能に配置し、該昇降板（１３）の上面に軟質材または弾性部材よりなる緩衝部材（１４）を貼設し、ネジにて構成したアジャスタ（１６）を回動させて昇降板（１３）を昇降させる構成とし、前記下部の移動輪（２２）の突出・収納機構は、収納部（１０）の下部に、外枠（２０ａ）と内枠（２０ｂ）より構成する台枠（２０）を設け、該外枠（２０ａ）上に収納部（１０）の底板（２４）が載置固定され、該外枠（２０ａ）と内枠（２０ｂ）は前後の位置に平行に配置し、該内枠（２０ｂ）の両側は側板（２３・２３）を固設し、該前後の外枠（２０ａ・２０ａ）は連結プレート（２５・２５）により連結され、内枠（２０ｂ・２０ｂ）は連結プレート（２６・２６）で連結し、左右両側の連結プレート（２５・２５）の下面にそれぞれ移動輪（２２・２２）を配置し、該連結プレート（２５）と連結プレート（２６）の間に、昇降機構（２１）を介装配置し、該台枠（２０）内に昇降機構（２１）と移動輪（２２）を収納し、該昇降機構（２１）にて内枠（２０ｂ）を下降・上昇させ、該内枠（２０ｂ）の上昇により、該移動輪（２２）の下端が床（７）に接地すべく構成し、前記収納家具を上下に分割可能に構成し、上下で家具の種類を変更可能とし、かつ、前後向きを入れ換え可能としたものである。
【０００６】
【発明の実施の形態】
次に、本発明の実施の形態を添付の図面を用いて説明する。
【０００７】
図１は本発明の間仕切り用収納家具で部屋を分割した斜視図、図２は本発明の間仕切り用収納家具で二つに分割した平面図、図３は間仕切り用収納家具の斜視図、図４は突っ張り機構を示す側面断面図、図５は台枠の正面図、図６は同じく底面図、図７は昇降機構の側面断面図、図８は上下分割形とした収納家具の斜視図である。
【０００８】
図３より収納家具１を洋服タンスとした全体構成を説明する。収納家具１は床７から天井６までの高さよりも低く構成しており、筐体の中央部を収納部１０とし、該収納部１０は本実施例では洋服タンスとしている。該収納部１０の上部の周囲は幕板１１で囲み、該幕板１１内部に突っ張り機構１２を収納し、収納部１０の下部には台枠２０を設けて、該台枠２０内に昇降機構２１と移動輪２２を収納している。
【０００９】
前記突っ張り機構１２は、図４に示すように、幕板１１で囲まれた部分内に昇降板１３を昇降できるように配置し、該昇降板１３の上面に軟質材または弾性部材よりなる緩衝部材１４が貼設されている。該緩衝部材１４は突っ張ったときに天井６に当接して、天井面の凹凸を吸収したり、開閉時のショックや床７からの振動等が直接伝わらないようにしたり、地震等の時に変形を吸収したりするものである。
【００１０】
また、前記幕板１１は収納部１０の天板１５周囲上に一体的に設けられており、該天板１５と前記昇降板１３との間にアジャスタ１６が介装されている。該アジャスタ１６は上端に回転自在に皿状の当接部１６ａを支持し、該当接部１６ａを昇降板１３の下面に設けた凹部１３ａ内に嵌入している。この凹部１３ａ内にアジャスタ１６を挿入することで位置ズレしないようにし、アジャスタ６を回転させて昇降するときに、昇降板１３を傷つけないようにしている。
【００１１】
該アジャスタ１６の本体はネジにて構成している。一方、天板１５のアジャスタ挿入部にはナット体１７が埋め込まれおり、該ナット体１７にアジャスタ１６を螺装している。そして、該アジャスタ１６の下端に回動操作部１６ｂを設けて、該回動操作部１６ｂは収納部１０内に臨むように配置して、収納部１０内からアジャスタ１６を回転できるようにしている。該回動操作部１６ｂは本実施例では六角孔付ボルトを使用して、六角レンチを挿入して回動し、アジャスタ１６を回動して昇降板１３を昇降できるようにしている。なお、該回動操作部１６ｂはボルト頭のごとく構成しても良いし、ハンドルを固定することもできる。また、ナット体１７と螺子の代わりに、ウォームとウォームホィールを使用したり、ラックとピニオンを使用したりすることもでき、回動して昇降できる構成であれば限定するものではない。
【００１２】
次に、図５乃至図７を用いて、前記収納部１０の下部に配設する台枠２０について説明する。前記収納部１０の下部周囲には台枠２０を設けて、該台枠２０内に昇降機構２１と移動輪２２を収納している。なお、該移動輪２２は本実施例ではキャスター輪を使用している。即ち、該台枠２０は外枠２０ａと内枠２０ｂよりなり、該外枠２０ａ上に収納部（筐体）１０の底板２４が載置固定され、該外枠２０ａと内枠２０ｂは前後平行に配置されて、内枠２０ｂの両側は側板２３・２３を固設している。該前後の外枠２０ａ・２０ａは連結プレート２５・２５・・・により連結され、内枠２０ｂ・２０ｂは連結プレート２６・２６・２６で連結される。そして、左右両側の連結プレート２５・２５の下面にそれぞれ移動輪２２・２２・・・が配置されて、できるだけ四隅で安定して支持できるように配設している。該移動輪２２の下端は後述する昇降機構２１で内枠２０ｂを上昇させたときに床７に接地するように配設している。
【００１３】
この連結プレート２５と連結プレート２６と台枠２０に囲まれた部分内に昇降機構２１が配置されている。該昇降機構２１は各連結プレート２６の前後に螺子軸３０・３０を立設し、該螺子軸３０の上部にはそれぞれベベルギヤ３１のボス部に螺装されている。該ベベルギヤ３１は前記連結プレート２５の下面に設けたギヤボックス３３内に回転自在に収納されている。
【００１４】
一方、前後のギヤボックス３３間は伝動軸３４・３４・・によって回動力を伝達できるようにしており、該伝動軸３４の両端にベベルギヤ３２・３２を固設して前記ベベルギヤ３１と噛合させて回動力を伝達できるようにしている。また、左右方向のギヤボックス３３間は前後一側において、伝動軸３５・３６・３７によって回動力を伝達できるようにしており、該伝動軸３５・３６・３７の両端にもそれぞれベベルギヤ３２・３２・・・を固設して、前記ベベルギヤ３１と噛合させて回動力を伝達できるようにしている。なお、各伝動軸３４・３５・３６・３７は中途部で軸受３９・３９・・・により適宜支持されて、湾曲したり、噛み合わせの悪化等を防止している。
【００１５】
そして，前記伝動軸３５・３６・３７の何れかからギヤボックス３３を介して分岐しており、本実施例では伝動軸３５と伝動軸３６の間から分岐して、伝動軸３８の一端を操作ギヤボックス４０内に挿入し、該操作ギヤボックス４０内の伝動軸３８上に固設したベベルギヤ３２をベベルギヤ４１と噛合させ、該ベベルギヤ４１は操作ギヤボックス４０内で垂直方向に回動自在に支持した回動軸４２上に固設し、該回動軸４２の上部は収納部１０内に臨むように配設されており、底板２４の一部を開口して、その開口部に該回動軸４２を挿入し、上方より操作ハンドル４３のボス部４３ａを挿入して回動可能としている。このボス部４３ａと回動軸４２はスプライン嵌合または角軸で等で連結して空回りはしないが、操作ハンドル４３は着脱容易としている。そして、操作ハンドル４３を収納部１０から着脱でき、装着したときは容易に操作できるようにしている。
【００１６】
このような構成において、前記操作ハンドル４３を回動することにより、ベベルギヤ４１・３２、伝動軸３８を介してギヤボックス３３に回動力が伝えられ、該ギヤボックス３３から伝動軸３５・３６・３７・３４やベベルギヤ３２・３２・・・等を介してベベルギヤ３１・３１・・・に伝えられ、該ベベルギヤ３１・３１・・・の回動により、螺子軸３０・３０・・・が回動されて、連結プレート２６・２６・２６及び内枠２０ｂが昇降されるのである。なお、回動力を伝達するために伝動軸とベベルギヤの数は限定するものではなく、また、伝動軸とベベルギヤの代わりに、スプロケットとチェーン等を用いることも可能である。また、内枠２０ｂの代わりに外枠２０ｂを昇降する構成とすることも可能である。
【００１７】
そして、内枠２０ｂを下降させることにより、収納家具１は持ち上げられることになり、前記突っ張り機構１２の作用と合わせて天井６と床７の間で突っ張ることができて、収納家具１を固定することができる。逆に、内枠２０ｂを上昇させると、内枠２０ｂは外枠２０ａ内に収納され、移動輪２２・２２・・・が接地することになり、収納家具１は降ろされて移動輪２２・２２・・・に支持されることになる。こうして、収納家具１の上部は天井６から離れ移動することができるのである。なお、操作ハンドル４３は昇降時以外は使用しないので、外して別の位置に収納しておけば、邪魔にならず収納空間を小さくすることはない。
【００１８】
このように構成した収納家具１は奥行きが数種類容易されており、収納物の種類や部屋の広さ等に合わせられるようにしている。例えば、図１、図２に示すように、奥行きが広い収納家具１の場合は部屋の中央部分で広さに余裕がある位置に配置し、床７と天井６の間で突っ張ることにより、壁と強度アップの役目を果たすようにできる。また、奥行きの狭い家具２の場合には、図１の仕切る部屋が狭い場合や、図２のようにドア４とドア４の間に挟まるような場合に接地することができる。
【００１９】
また、収納家具１は洋服タンスだけでなく、本箱としたり、扉をなくして本棚としたり、オープン形の物入れとしたりすることもでき、また、台所に置く場合には食器棚等とすることもできる。こうして、奥行きだけでなく、部屋の用途に合わせて家具の種類も選択できるようにしている。こうして、一つの部屋を始から広く構成しておけば、一つの部屋の中で前記移動輪２２・２２・・・を用いて容易に移動でき、そして、突っ張り機構１２と昇降機構２１を用いて容易に固定ができて、部屋の配置替えや模様替えが一人で容易にできるのである。よって、気分転換や人の増減や子供の成長等に合わせてることが簡単にできるのである。
【００２０】
また、収納家具は図８に示すように、上部体１ａと下部体１ｂに分割することも可能である。なお、分割部分には連結ピン等が配置されて、ズレることがないようにし、分割することによって、ドアの高さより低くなり、搬入し易くなる。また、階段から持って上がることもできるようにもなる。また、上部体１ａと下部体１ｂの前後向き入れ換えることで、仕切った両方の部屋からそれぞれ同じ種類の家具を利用することができる。また、上部体１ａと下部体１ｂの家具の種類も変更することが可能であり、用途に合わせて選択することができる。
【００２１】
また、図１における収納家具５・５’の如く、前記下部体１ｂのみを使用したハーフサイズの収納家具５・５’として使用することもできる。この場合、前記移動輪２２によって容易に移動でき、上方がオープンになっていることから、部屋が暗くならず、全体を見渡せて、部屋広く感じさせることができる。なお、前記収納家具１・２・５には更に、背板の部分に遮音板を貼り付けることによって、間仕切りした部屋間の遮音性を向上することができる。また、前面の幕板１１に照明器具を埋め込むことによって、部屋を仕切った天井部分に照明器具が位置したり、仕切った後の部屋に照明器具がない場合等に新たに照明器具を取り付ける必要がなくなる。
【００２２】
【発明の効果】
本発明は以上の如く構成したので、以下の効果を奏するものである。
床（７）から天井（６）までの高さよりも低い収納家具の、上部に突っ張り機構（１２）を有し、下部に移動輪（２２）を突出・収納可能に備えた収納家具であって、前記上部の突っ張り機構（１２）は、収納部（１０）の上部の幕板（１１）で囲まれた内部に、昇降板（１３）を昇降可能に配置し、該昇降板（１３）の上面に軟質材または弾性部材よりなる緩衝部材（１４）を貼設し、ネジにて構成したアジャスタ（１６）を回動させて昇降板（１３）を昇降させる構成とし、前記下部の移動輪（２２）の突出・収納機構は、収納部（１０）の下部に、外枠（２０ａ）と内枠（２０ｂ）より構成する台枠（２０）を設け、該外枠（２０ａ）上に収納部（１０）の底板（２４）が載置固定され、該外枠（２０ａ）と内枠（２０ｂ）は前後の位置に平行に配置し、該内枠（２０ｂ）の両側は側板（２３・２３）を固設し、該前後の外枠（２０ａ・２０ａ）は連結プレート（２５・２５）により連結され、内枠（２０ｂ・２０ｂ）は連結プレート（２６・２６）で連結し、左右両側の連結プレート（２５・２５）の下面にそれぞれ移動輪（２２・２２）を配置し、該連結プレート（２５）と連結プレート（２６）の間に、昇降機構（２１）を介装配置し、該台枠（２０）内に昇降機構（２１）と移動輪（２２）を収納し、該昇降機構（２１）にて内枠（２０ｂ）を下降・上昇させ、該内枠（２０ｂ）の上昇により、該移動輪（２２）の下端が床（７）に接地すべく構成し、前記収納家具を上下に分割可能に構成し、上下で家具の種類を変更可能とし、かつ、前後向きを入れ換え可能としたので、その部屋に必要な家具で仕切ることができ、一つの部屋を好みに合った部屋にすることができ、また、気分を変えたり、人数の増減があった場合や子供成長等に合わせて、容易に模様替えできるようになったのである。
【００２３】
また、床から天井までの高さよりも低い収納家具の上部に突っ張り機構を有し、下部に移動輪を突出・収納可能に備えた家具であって、前記昇降機構は、アジャスタを回動させて昇降板を昇降させる構成とし、前記移動輪の突出・収納は、昇降機構で内枠を下降・上昇させて行なう構成としたので、一つの部屋を始から広く構成しておけば、一つの部屋の中で前記移動輪を用いて容易に移動でき、そして、突っ張り機構と昇降機構を用いて容易に固定ができて、部屋の配置替えや模様替えが一人で容易にできるのである。
よって、気分転換や人の増減や子供の成長等に合わせることが簡単にできるのである。
【００２４】
また、前記収納家具を上下に分割可能に構成し、上下で家具の種類を変更可能とし、かつ、前後向きを入れ換え可能としたので、分割した部屋毎に上下の家具で好みや必要な種類の家具に選択ができて、選択する種類が増えたのである。また、収納家具の上下で前後向きを入れ換えることで、一つの家具で分割した両側から家具を利用することが可能となる。
【図面の簡単な説明】
【図１】  本発明の間仕切り用収納家具で部屋を分割した斜視図である。
【図２】  本発明の間仕切り用収納家具で二つに分割した平面図である。
【図３】  間仕切り用収納家具の斜視図である。
【図４】  突っ張り機構を示す側面断面図である。
【図５】  台枠の正面図である。
【図６】  同じく底面図である。
【図７】  昇降機構の側面断面図である。
【図８】  上下分割形とした収納家具の斜視図である。
【符号の説明】
１・２・５  収納家具
６    天井
７    床
１２  突っ張り機構
２０  台枠
２１  昇降機構
２２  移動輪
【図１】
0004077595.tif 000002
【図２】
0004077595.tif 000003
【図３】
0004077595.tif 000004
【図４】
0004077595.tif 000005
【図５】
0004077595.tif 000006
【図６】
0004077595.tif 000007
【図７】
0004077595.tif 000008
【図８】
0004077595.tif 000009